(57)【要約】【課題】読み取り速度の高速化を図りつつ水平転送部の増加を抑制し、さらに読み取り方向を双方向で行うことができるリニアセンサ及びそれを備えた画像読み取り装置を提供すること。【解決手段】１次元方向に配列された複数の光電変換部１１をそれぞれ有して互いに隣り合う第１及び第２のセンサ列１２ａ，１２ｂと、第１のセンサ列１２ａの光電変換部１１のそれぞれに蓄積された信号電荷を読み出して蓄積可能な複数の第１のメモリレジスタ１３ａと、第２のセンサ列１２ｂの光電変換部１１のそれぞれに蓄積された信号電荷を読み出して蓄積可能な複数の第２のメモリレジスタ１３ｂと、第１のメモリレジスタ１３ａ及び第２のメモリレジスタ１３ｂから出力される信号電荷を水平方向に転送する水平転送部１４とを備える。【選択図】図４
2010130234.tif 000002
【特許請求の範囲】
【請求項１】
１次元方向に配列された複数の光電変換部をそれぞれ有して互いに隣り合う第１及び第２のセンサ列と、
前記第１のセンサ列の光電変換部のそれぞれから信号電荷を読み出して蓄積可能な複数の第１のメモリレジスタと、
前記第２のセンサ列の光電変換部のそれぞれから信号電荷を読み出して蓄積可能な複数の第２のメモリレジスタと、
前記第１のメモリレジスタ及び前記第２のメモリレジスタから出力される信号電荷を水平方向に転送する水平転送部と、を備えたリニアセンサ。
【請求項２】
前記水平転送部は複数の水平転送レジスタからなり、
前記第１のメモリレジスタ及び前記第２のメモリレジスタからの信号電荷を同一の水平転送レジスタに読み出し可能とした請求項１に記載のリニアセンサ。
【請求項３】
前記水平転送部に出力された信号電荷を排出するシャッタードレインと、
前記水平転送部に出力された信号電荷を前記シャッタードレインに転送するシャッターゲートと、を備えた請求項１又は請求項２に記載のリニアセンサ。
【請求項４】
リニアセンサと、前記リニアセンサを第１方向及びその反対方向である第２方向のいずれにも移動可能としたセンサ駆動機構と、前記リニアセンサに制御信号を出力する制御部と、前記リニアセンサから出力される信号に基づいて画像データを生成する画像処理部とを備え、
前記リニアセンサは、
１次元方向に配列された複数の光電変換部をそれぞれ有して互いに隣り合う第１及び第２のセンサ列と、
前記第１のセンサ列の光電変換部のそれぞれから信号電荷を読み出して蓄積可能な複数の第１のメモリレジスタと、
前記第２のセンサ列の光電変換部のそれぞれから信号電荷を読み出して蓄積可能な複数の第２のメモリレジスタと、
前記第１のメモリレジスタ及び前記第２のメモリレジスタから出力される信号電荷を水平方向に転送する水平転送部と、を備え、
前記制御部は、
読み取り方向が前記第１方向である第１モードと、読み取り方向が前記第２方向である第２モードとを交互に切り替えながら、複数枚の原稿を連続読み取り可能としており、
前記第１モードにおいて、
前記第１のセンサ列の光電変換部のそれぞれに蓄積された信号電荷を前記複数の第１のメモリレジスタに読み出して蓄積し、
その後、前記第２のセンサ列の光電変換部のそれぞれに蓄積された信号電荷と前記複数の第１のメモリレジスタに蓄積した信号電荷とを前記水平転送部に出力させて加算し、前記水平転送部により転送させ、
前記第２モードにおいて、
前記第２のセンサ列の光電変換部のそれぞれに蓄積された信号電荷を前記複数の第２のメモリレジスタに読み出して蓄積し、
その後、前記第１のセンサ列の光電変換部のそれぞれに蓄積された信号電荷と前記複数の第２のメモリレジスタに蓄積した信号電荷とを前記水平転送部に出力させて加算し、前記水平転送部により転送させるようにした画像読み取り装置。
【請求項５】
前記リニアセンサは、
前記水平転送部に出力された信号電荷を排出するシャッタードレインと、
前記水平転送部に蓄積された信号電荷を前記シャッタードレインに転送するシャッターゲートと、を備え、
前記制御部は、
前記リニアセンサの一方のセンサ列に蓄積された信号電荷を前記水平転送部により外部に転送させる第３のモードを有しており、
当該第３モードにおいて、
前記第１のセンサ列の光電変換部のそれぞれに蓄積された信号電荷を前記複数の第１のメモリレジスタに読み出して蓄積すると共に、前記第２のセンサ列の光電変換部のそれぞれに蓄積された信号電荷を前記水平転送部及び前記シャッターゲートを介して前記シャッタードレインへ転送して排出し、
次に、前記複数の第１のメモリレジスタに蓄積した信号電荷を前記水平転送部に出力させ、前記水平転送部により転送させるようにした請求項４に記載の画像読み取り装置。
【発明の詳細な説明】
【技術分野】
【０００１】
本発明は、１次元的な画像情報を時系列的な電気信号として出力するＣＣＤ（charge coupled device）型のリニアセンサ及びそれを備えた画像読み取り装置に関する。
【背景技術】
【０００２】
従来より、入射光に応じた量の信号電荷を蓄積する光電変換部が１次元方向に配列されたセンサ列を有し、各光電変換部からの信号電荷をＣＣＤ電荷転送方式によって出力部に転送する水平転送部を有するＣＣＤリニアセンサが知られている。このＣＣＤリニアセンサは、ラインセンサとも呼ばれ、１次元的な画像情報を時系列的な電気信号として出力するセンサであり、コピー、ファクシミリ、パターン認識及び各種計測などに内蔵される画像読み取り装置に組み込まれる。
【０００３】
以下、図面を用いて従来のＣＣＤリニアセンサを説明する。図１４〜図１７は従来のＣＣＤリニアセンサの構造を示す図である。
【０００４】
図１４に示す従来のＣＣＤリニアセンサ１００では、複数の光電変換部を有するセンサ列１０２、読み出しゲート１０３、水平転送部１０４、出力部１０５を有しており、ドキュメント等の読み取り対象の読み取りをセンサ列１０２により１ライン毎に行う。すなわち、読み取り対象に対してＣＣＤリニアセンサ１００の位置をずらしながら、読み取り対象の１ライン毎に、読み出しゲート１０３を動作させてセンサ列１０２から信号電荷を水平転送部１０４を介して出力部１０５に転送して電気信号に変換し出力している。
【０００５】
ＣＣＤリニアセンサを用いる画像読み取り装置では、読み取り速度の高速化が求められている。そのため、ＣＣＤリニアセンサを高速化するなどして、読み取り期間を短くすることが必要となる。
【０００６】
ＣＣＤリニアセンサの高速化には、信号電荷の蓄積期間が短くなっても十分に光電変換を行えるようにセンサ列の高感度化が必要となる。しかし、図１４に示すＣＣＤリニアセンサ１００の構造、すなわち１つのセンサ列１０２だけで高感度化を実現しようとすると、センサ列１０２の各光電変換部の実効サイズを拡大せざるを得ず、副走査や主走査の解像度が低減してしまうという問題がある。
【０００７】
そこで、図１５に示すように、２つのセンサ列２０２ａ，２０２ｂ、読み出しゲート２０３ａ，２０３ｂ、水平転送部２０４ａ，２０４ｂ、出力部２０５ａ，２０５ｂで構成したＣＣＤリニアセンサ２００が知られている（特許文献１参照）。このＣＣＤリニアセンサ２００では、出力部２０５ａから出力される信号と出力部２０５ｂから出力される信号を加算することにより、副走査や主走査の解像度を低減させることなく高感度化を図っている。
【０００８】
また、図１６に示すように、メモリレジスタ３０７ａ、３０７ｂを設けて、センサ列３０２ａの信号電荷とセンサ列３０２ｂの信号電荷とをレジスタ合流部３０６で加算する加算するＣＣＤリニアセンサ３００が提案されている（特許文献２参照）。このＣＣＤリニアセンサ３００では、２つのセンサ列３０２ａ，３０２ｂの信号電荷をレジスタ合流部３０６で加算することでセンサ外部での演算処理を不要としつつも、高感度を実現している。
【０００９】
しかし、かかるＣＣＤリニアセンサ２００，３００では、各センサ列のそれぞれに水平転送部が必要となるため、負荷容量の増加とセンササイズの増大という問題点が生じる。
【００１０】
そこで、垂直電荷転送部を設けて、水平転送部を一つにする技術が提案されている（特許文献３参照）。例えば、図１７に示すリニアセンサ４００では、複数のセンサ列４０２ａ，４０２ｂのうちセンサ列４０２ｂの信号電荷を垂直方向に転送する垂直電荷転送部４０８を設けて、読み出しゲート４０３で各センサ列４０２ａ，４０２ｂの信号電荷を加算する。すなわち、第２のセンサ列４０２ａの信号電荷を一旦垂直電荷転送部４０８へ蓄積しておき、第１のセンサ列４０２ｂの信号電荷と垂直電荷転送部４０８に蓄積された信号電荷を読み出しゲート４０３で同時に読み出して信号電荷の加算を行っている。
【特許文献１】特開２００１−３０９１２１号公報
【特許文献２】特開２００２−３４３９５４号公報
【特許文献３】特開２００５−１０１７５２号公報
【発明の開示】
【発明が解決しようとする課題】
【００１１】
上記特許文献３に記載のリニアセンサ４００では、水平転送部４０４が複数必要ないことから負荷容量の増加とセンササイズの増大という問題の発生を回避できる。
【００１２】
しかしながら、このリニアセンサ４００を用いた画像読み取り装置では、読み取り方向が一方向であることから、読み取り対象を読み取った後、反対方向に移動させてリニアセンサ４００を読み取り開始位置に戻す必要がある。
【００１３】
そのため、従来のリニアセンサ４００を用いた画像読み取り装置では、読み取りの高速化に制限があった。
【００１４】
そこで、本発明は、読み取り速度の高速化を図りつつ水平転送部の増加を抑制し、さらに読み取り方向を双方向で行うことができるリニアセンサ及びそれを備えた画像読み取り装置を提供することを目的とする。
【課題を解決するための手段】
【００１５】
上記目的を達成するために、請求項１に記載の発明は、１次元方向に配列された複数の光電変換部をそれぞれ有して互いに隣り合う第１及び第２のセンサ列と、前記第１のセンサ列の光電変換部のそれぞれから信号電荷を読み出して蓄積可能な複数の第１のメモリレジスタと、前記第２のセンサ列の光電変換部のそれぞれから信号電荷を読み出して蓄積可能な複数の第２のメモリレジスタと、前記第１のメモリレジスタ及び前記第２のメモリレジスタから出力される信号電荷を水平方向に転送する水平転送部と、を備えたリニアセンサとした。
【００１６】
また、請求項２に記載の発明は、請求項１に記載のリニアセンサにおいて、前記水平転送部は複数の水平転送レジスタからなり、前記第１のメモリレジスタ及び前記第２のメモリレジスタからの信号電荷を同一の水平転送レジスタに読み出し可能とした。
【００１７】
また、請求項３に記載の発明は、請求項１又は請求項２に記載のリニアセンサにおいて、前記水平転送部に出力された信号電荷を排出するシャッタードレインと、前記水平転送部に出力された信号電荷を前記シャッタードレインに転送するシャッターゲートと、を備えた。
【００１８】
また、請求項４に記載の発明は、リニアセンサと、前記リニアセンサを第１方向及びその反対方向である第２方向のいずれにも移動可能としたセンサ駆動機構と、前記リニアセンサに制御信号を出力する制御部と、前記リニアセンサから出力される信号に基づいて画像データを生成する画像処理部とを備え、前記リニアセンサは、１次元方向に配列された複数の光電変換部をそれぞれ有して互いに隣り合う第１及び第２のセンサ列と、前記第１のセンサ列の光電変換部のそれぞれから信号電荷を読み出して蓄積可能な複数の第１のメモリレジスタと、前記第２のセンサ列の光電変換部のそれぞれから信号電荷を読み出して蓄積可能な複数の第２のメモリレジスタと、前記第１のメモリレジスタ及び前記第２のメモリレジスタから出力される信号電荷を水平方向に転送する水平転送部と、を備え、前記制御部は、読み取り方向が前記第１方向である第１モードと、読み取り方向が前記第２方向である第２モードとを交互に切り替えながら、複数枚の原稿を連続読み取り可能としており、前記第１モードにおいて、前記第１のセンサ列の光電変換部のそれぞれに蓄積された信号電荷を前記複数の第１のメモリレジスタに読み出して蓄積し、その後、前記第２のセンサ列の光電変換部のそれぞれに蓄積された信号電荷と前記複数の第１のメモリレジスタに蓄積した信号電荷とを前記水平転送部に出力させて加算し、前記水平転送部により転送させ、前記第２モードにおいて、前記第２のセンサ列の光電変換部のそれぞれに蓄積された信号電荷を前記複数の第２のメモリレジスタに読み出して蓄積し、その後、前記第１のセンサ列の光電変換部のそれぞれに蓄積された信号電荷と前記複数の第２のメモリレジスタに蓄積した信号電荷とを前記水平転送部に出力させて加算し、前記水平転送部により転送させるようにした画像読み取り装置とした。
【００１９】
また、請求項５に記載の発明は、請求項４に記載の画像読み取り装置において、前記リニアセンサは、前記水平転送部に出力された信号電荷を排出するシャッタードレインと、前記水平転送部に蓄積された信号電荷を前記シャッタードレインに転送するシャッターゲートと、を備え、前記制御部は、前記リニアセンサの一方のセンサ列に蓄積された信号電荷を前記水平転送部により外部に転送させる第３のモードを有しており、当該第３モードにおいて、前記第１のセンサ列の光電変換部のそれぞれに蓄積された信号電荷を前記複数の第１のメモリレジスタに読み出して蓄積すると共に、前記第２のセンサ列の光電変換部のそれぞれに蓄積された信号電荷を前記水平転送部及び前記シャッターゲートを介して前記シャッタードレインへ転送して排出し、次に、前記複数の第１のメモリレジスタに蓄積した信号電荷を前記水平転送部に出力させ、前記水平転送部により転送させるようにしたものである。
【発明の効果】
【００２０】
本発明によれば、読み取り速度の高速化を図りつつ水平転送部の増加を抑制し、さらに読み取り方向を双方向で行うことができるリニアセンサ及びそれを備えた画像読み取り装置を提供することができる。
【発明を実施するための最良の形態】
【００２１】
以下、発明を実施するための最良の形態（以下、「実施形態」とする）について説明する。なお、説明は以下の順序で行う。
１．画像読み取り装置の構成の概要
２．画像読み取り装置に設けられたＣＣＤリニアセンサの構成
３．画像読み取り装置に設けられたＣＣＤリニアセンサの第１の駆動方法
４．画像読み取り装置に設けられたＣＣＤリニアセンサの第２の駆動方法
【００２２】
［１．画像読み取り装置の構成の概要］  
まず、本実施形態の画像読み取り装置の概略構成について説明する。図１は本実施形態の画像読み取り装置の概略構成例を示す図、図２は本実施形態のリニアセンサの読み取り方向を説明するための図である。
【００２３】
図１に示すように、画像読み取り装置（スキャナ）Ｓは、ＣＣＤリニアセンサ１（以下、「リニアセンサ１」とする）、リニアセンサ駆動機構２、ガラス台３、画像処理部４、インターフェイス（Ｉ／Ｆ）回路５、制御部６を備えている。また、図示しないが画像読み取り装置Ｓには、原稿８を連続的にガラス台３上に配置する自動給紙機構を備えている。
【００２４】
この画像読み取り装置Ｓには、パーソナルコンピュータ（ＰＣ）７が接続ケーブルを介して接続されており、画像読み取り装置ＳはＰＣ７らの要求に応じてガラス台３に載置された原稿８の読み取りを行う。Ｉ／Ｆ回路５は、ＰＣ７との接続を可能にするものであり、本実施形態では、画像読み取り装置ＳからＰＣ７にデータを高速で転送するため、ＩＥＥＥ１３９４に対応したものが用いるが、ＵＳＢに対応したものなどを用いてもよい。
【００２５】
ＰＣ７は、画像読み取り装置Ｓを制御するためのドライバソフトと、画像読み取り装置ＳからＰＣ７に対して転送される画像データを記憶し、当該画像データに基づき、画像を表示するためのアプリケーションソフトとが予めインストールされている。
【００２６】
そして、画像読み取り装置Ｓを利用するユーザは、ＰＣ７を用いて次のように原稿８を画像読み取り装置Ｓによって読み取る。
【００２７】
まず、自動給紙機構に画像を読み取る対象である原稿８を入れる。その後、ＰＣ７を制御して、ＰＣ７から画像読み取り装置Ｓへ制御信号を出力して画像読み取り装置Ｓに読み取り動作を開始させる。画像読み取り装置Ｓの制御部６は、自動給紙機構を制御して、原稿台であるガラス台３上に原稿８を載置する。また、画像読み取り装置Ｓの制御部６は、リニアセンサ１に転送パルスなどの制御信号を出力し、さらにリニアセンサ駆動機構２を動作させて、リニアセンサ１を副走査方向（Ｘ方向）に移動させる。
【００２８】
これにより、リニアセンサ１からは主走査方向（Ｙ方向）のライン（以下、「水平ライン」とする）の画像信号が画像処理部４に順次出力され、画像処理部４では水平ライン毎の画像信号に基づいて画像データを生成して、Ｉ／Ｆ回路５を介してＰＣ７へ出力する。なお、リニアセンサ１から出力される水平ライン毎の画像信号は、リニアセンサ１の各光電変換部１１の信号電荷に応じた電圧信号である画素信号が１水平ライン分連続したものである。
【００２９】
そして、リニアセンサ１は、図２に示すように、副走査方向（Ｘ方向）にｔ１，ｔ２，ｔ３という様に移動しながら、水平ライン毎に信号電荷の蓄積、転送、出力という動作を繰り返して、原稿８全体の画像情報を取得する。
【００３０】
このように画像読み取り装置Ｓでは、リニアセンサ１を用いて原稿８の読み取りを行うようにしているが、市場における画像読み取り装置に対する読み取り速度の高速化の要望は非常に強く、画像読み取り装置は高速化モデルへとシフトしている。
【００３１】
画像読み取り装置の読み取り速度を高速化するためには、上述したように原稿全体を読み取る速度を上げることが必要となる。また、現在の画像読み取り装置では、連続読み取りは標準機能となっており、連続読取りの速度を上げることによって読み取り速度の高速化を図ることも必要である。
【００３２】
画像読み取り装置が原稿全体を読み取る速度は、リニアセンサが主走査方向（Ｙ方向）の1ラインの情報を読み取るスピードに依存する。高速でリニアセンサを動作させるためには、短時間でのＣＣＤ出力が必要となり、信号電荷の転送の高速化に加え、光電変換部を高感度化して光電変換部から信号電荷を短時間で出力することが必要となる。
【００３３】
また、原稿の連続読み取りの速度は、リニアセンサの高速化に加え、原稿を読み取った後次の原稿の読み取りを開始するまでの時間を短くすることによって高速化を図ることができる。従来のリニアセンサ４００を用いた画像読み取り装置では、読み取り方向が一方向であることから、原稿を読み取った後、反対方向に移動させてリニアセンサ４００を読み取り開始位置に戻す必要がある。
【００３４】
そこで、本実施形態におけるリニアセンサ１では、光電変換部の高感度化を図ることにより高速読み取りを可能としつつ、読み取り方向を一方向だけではなくその反対方向にも持たせることで、連続読み取りの高速化を図っている。
【００３５】
［２．画像読み取り装置Ｓに設けられたリニアセンサ１の構成］
次に、リニアセンサ１の構成について説明する。図３は本実施形態におけるリニアセンサ１の構成を示す図である。
【００３６】
図３に示すように、リニアセンサ１は、半導体基板上に青（Ｂｌｕｅ）、緑（Ｇｒｅｅｎ）、赤（Ｒｅｄ）の分光感度を有するセンサ部１０ａ,１０ｂ，１０ｃが形成されてパッケージ化されたものである。このリニアセンサ１は、画像読み取り装置Ｓの制御部６から入力される各種制御信号によって制御され、各出力端子から各色毎の画像信号が出力される。画像読み取り装置Ｓの制御部６から入力される制御信号には、水平転送パルスφＨ１，φＨ２、第１メモリレジスタ制御信号φＳＦＴＡ、第２メモリレジスタ制御信号φＳＦＴＢ、シャッターゲート制御信号φＳＨＧなどがある。
【００３７】
センサ部１０ａ,１０ｂ，１０ｃは分光感度を除き、同一の構成となっており、以下においては、一例としてセンサ部１０ａの構成を具体的に説明する。図４は本実施形態におけるリニアセンサ１のセンサ部１０ａの構成を示す図である。なお、後述するセンサ列１２ａ，１２ｂは、実際には数百以上の光電変換部を有するものであるが、図４においては各センサ列の光電変換部を６つとして簡略化している。
【００３８】
図４に示すようにセンサ部１０ａは、１次元方向に配列された複数の光電変換部１１をそれぞれ有して互いに隣り合う第１及び第２のセンサ列１２ａ，１２ｂを有しており、これらのセンサ列１２ａ，１２ｂから出力される信号電荷を加算して高感度化を図っている。
【００３９】
センサ列１２ａ，１２ｂから出力される信号電荷の加算は、第１及び第２のメモリレジスタ１３ａ，１３ｂを用いることにより実現している。第１のメモリレジスタ１３ａは、第１のセンサ列１２ａの光電変換部１１で変換され蓄積された信号電荷を読み出して蓄積可能で、かつ水平転送部１４へ信号電荷を転送する機能を有しており、第１のセンサ列１２ａの光電変換部１１毎に隣接して設けられる。同様に、第２のメモリレジスタ１３ｂは、第２のセンサ列１２ｂの光電変換部１１で変換され蓄積された信号電荷を読み出して蓄積可能で、かつ水平転送部１４へ信号電荷を転送する機能を有しており、第２のセンサ列１２ｂの光電変換部１１毎に隣接して設けられる。
【００４０】
リニアセンサ１の副走査方向が第１のセンサ列１２ａ側の方向（Ｘ方向）であるとき、第１のセンサ列１２ａの各光電変換部１１で変換され蓄積されている信号電荷を各第１のメモリレジスタ１３ａに蓄積する。その後、第２のセンサ列１２ｂの各光電変換部１１で変換され蓄積されている信号電荷を各第２のメモリレジスタ１３ｂを介して水平転送部１４へ出力すると同時に、各第１のメモリレジスタ１３ａに蓄積した信号電荷も水平転送部１４へ出力する。これにより、水平転送部１４で信号電荷を加算する。
【００４１】
また、リニアセンサ１の副走査方向が第２のセンサ列１２ｂ側の方向（−Ｘ方向）であるとき、第２のセンサ列１２ｂの各光電変換部１１で変換され蓄積されている信号電荷を各第２のメモリレジスタ１３ｂに蓄積する。その後、第１のセンサ列１２ａの各光電変換部１１で変換され蓄積されている信号電荷を各第１のメモリレジスタ１３ａを介して水平転送部１４へ出力すると同時に、各第２のメモリレジスタ１３ｂに蓄積した信号電荷も水平転送部１４へ出力する。これにより、水平転送部１４で信号電荷を加算する。
【００４２】
このようにリニアセンサ１は、主走査方向（Ｙ方向）の１水平ラインの情報を読み取るのにセンサ列１２ａ，１２ｂを用い、センサ列１２ａ，１２ｂから出力される信号電荷の加算をメモリレジスタ１３ａ，１３ｂを用いて行うことで高感度化を図っている。さらに、リニアセンサ１の副走査方向を第１方向であるＸ方向とこのＸ方向と反対の第２方向である−Ｘ方向の２方向で可能とすることにより連続読み取りの高速化を図ることができるようにしている。なお、この点につき、［３．画像読み取り装置に設けられたＣＣＤリニアセンサの第１の駆動方法］の項で詳細に説明することとする。
【００４３】
水平転送部１４は、第１水平転送パルスφＨ１でポテンシャルが変動する第１水平転送レジスタ１４ａと第２水平転送パルスφＨ２でポテンシャルが変動する第２水平転送レジスタ１４ｂとが交互に配置された構成を有する。すなわち、第１水平転送レジスタ１４ａ上に第１電極（図示せず）が設けられ、第１電極に第１水平転送パルスφＨ１が印加されて、第１水平転送レジスタ１４ａのポテンシャルが変動する。また、第２水平転送レジスタ１４ｂ上に第２電極（図示せず）が設けられ、第２電極に第２水平転送パルスφＨ２が印加されて、第２水平転送レジスタ１４ｂのポテンシャルが変動する。そして、水平転送部１４に加算出力された信号電荷は、第１水平転送パルスφＨ１及び第２水平転送パルスφＨ２に応じて出力部１５側へ転送される。
【００４４】
また、水平転送部１４の終段に隣接して、出力部１５が形成される。出力部１５は、出力ゲート部２０、フローティングディフュージョン（ＦＤ）領域２１、ＦＤ領域２１に隣接して設けられたリセットゲート部２２及びリセットドレイン２３、ＦＤ領域２１に接続された出力回路２４を有している。水平転送部１４から転送される信号電荷は、ＦＤ領域２１及び出力回路２４を通じて画像信号として出力される。
【００４５】
また、リニアセンサ１には、シャッターゲート１７とシャッタードレイン１８とが設けられる。シャッターゲート１７上には図示しない電極が形成され、シャッターゲート制御信号φＳＨＧが印加される。水平転送部１４の信号電荷は、制御部６からの入力されるシャッターゲート制御信号φＳＨＧに応じてシャッターゲート１７を介して、シャッタードレイン１８へ掃き出される。
【００４６】
なお、第２のセンサ列１２ｂの各光電変換部１１は、第２のメモリレジスタ１３ｂとの隣接部分を除いて、チャネルストップ領域１６に覆われており、第２のメモリレジスタ１３ｂ以外からの信号電荷の流出を防止している。また、第１のセンサ列１２ａの各光電変換部１１は、第１及び第２のメモリレジスタ１３ａ，１３ｂとの隣接部分を除いて、チャネルストップ領域１６に覆われており、第１のメモリレジスタ１３ａ以外からの信号電荷の流出を防止している。また、第１及び第２のメモリレジスタ１３ａ，１３ｂの信号電荷の転送先を、同一の第１水平転送レジスタ１４ａとしており、これにより信号電荷の加算を容易にしている。
【００４７】
以上のように構成されたリニアセンサ１の駆動方法として、高感度化、連続読み取りの高速化を図る第１の駆動方法と、高感度化を図るものではないが連続読み取りの高速化を図る第２の駆動方法があり、図面を用いて以下に具体体に説明する。
【００４８】
［３．画像読み取り装置Ｓに設けられたリニアセンサ１の第１の駆動方法］
画像読み取り装置Ｓにおけるリニアセンサ１の第１の駆動方法について説明する。この第１の駆動方法は、高感度化、連続読み取りの高速化を図る駆動方法である。図５はリニアセンサ１と原稿８との関係を示す図、図６、図７及び図１０はリニアセンサ１内の信号電荷の動きを説明するための図、図８及び図９は、制御部６によってリニアセンサ１へ印加される各制御信号のタイミングチャートである。
【００４９】
図５に示すように、リニアセンサ１は、画像読み取り装置Ｓにおいて、第１及び第２のセンサ列１２ａ，１２ｂにおける光電変換部１１の配列方向が主走査方向（Ｙ方向）となり、移動方向が副走査方向（Ｘ方向、−Ｘ方向）となるように配置される。すなわち、原稿８の幅方向が主走査方向（Ｙ方向）となり、原稿８の長さ方向が副走査方向（Ｘ方向、−Ｘ方向）となるように、リニアセンサ１が配置される。
【００５０】
画像読み取り装置Ｓの制御部６は、リニアセンサ駆動機構２を制御して副走査方向（Ｘ方向）にリニアセンサ１を時間ｔ１毎に長さＡだけ移動し、この移動をＮ回行う。これにより、原稿８の領域Ａ１→Ａ２→・・・→ＡＮの順にリニアセンサ１が移動していき、原稿８のＡ１〜ＡＮの各領域の画像を順次読み取って、原稿８全体の画像を読み取るようにしている。センサ列１２ａ，１２ｂがそれぞれＭ個の光電変換部１１を有しているとすると、画像読み取り装置Ｓによる原稿８の読み取り解像度は、Ｍ×Ｎピクセルとなる。
【００５１】
画像読み取り装置Ｓが原稿８の読み取りを開始すると、図５（ｂ）に示すように、リニアセンサ１の２つのセンサ列１２ａ，１２ｂのうち第１のセンサ列１２ａが最初に原稿８の領域Ａ１に移動し、この領域Ａ１の画像を読み取る。このとき、第２のセンサ列１２ｂは原稿８がない領域Ａ０の画像を読み取ることとなる。
【００５２】
制御部６は、第１のセンサ列１２ａによる領域Ａ１の画像を読み取りが終了すると、図６に示すように、領域Ａ１の画像に応じた信号電荷を第１のセンサ列１２ａの各光電変換部１１から第１のメモリレジスタ１３ａへ転送する。第１のメモリレジスタ１３ａでは、領域Ａ１の画像に応じた信号電荷を蓄積する。一方、第２のセンサ列１２ｂの各光電変換部１１に蓄積された信号電荷は、第２のメモリレジスタ１３ｂを介して、水平転送部１４へ出力される。その後、制御部６は、水平転送部１４に出力された信号電荷を出力部１５へ転送して、リニアセンサ１から領域Ａ０の画像に応じた画像信号を出力させる。この画素信号は、原稿８の画像データを生成するために用いるものではないことから、画像処理部４では、この画像信号は無視される。
【００５３】
次に、制御部６は、リニアセンサ１を長さＡだけ副走査方向（Ｘ方向）に移動させる。これにより、第２のセンサ列１２ｂは領域Ａ１に移動して領域Ａ１の画像を読み取る。また、第１のセンサ列１２ａは領域Ａ２に移動して領域Ａ２の画像を読み取る。
【００５４】
制御部６は、各センサ列１２ａ，１２ｂによる領域Ａ１，Ａ２の画像を読み取りが終了すると、図７に示すように、第１のメモリレジスタ１３ａの信号電荷を第１水平転送レジスタ１４ａに転送する。また同時に、制御部６は、図７に示すように、第２のメモリレジスタ１３ｂの信号電荷を第２のメモリレジスタ１３ｂを介して第１水平転送レジスタ１４ａに転送する。その後、制御部６は、水平転送部１４に出力された信号電荷を出力部１５へ転送して、リニアセンサ１から領域Ａ１の画像に応じた画像信号を出力させる。これにより、原稿８の領域Ａ１のセンサ列１２ａ，１２ｂによる読み取りによって生じた信号電荷が第１水平転送レジスタ１４ａで加算され、出力部１５から出力することができ、リニアセンサ１の原稿８の領域Ａ１に対する感度を向上させることができる。
【００５５】
また、制御部６は、領域Ａ２の画像に応じた信号電荷を第１のセンサ列１２ａの各光電変換部１１から第１のメモリレジスタ１３ａへ転送するようにしており、以降同様にして、原稿８の領域Ａ２〜ＡＮまでの読み取りが行われ、各領域Ａ２〜ＡＮに対する画像信号が出力部１５から出力される。
【００５６】
制御部６は、上記処理を行うために、メモリレジスタ制御信号φＳＦＴＡ，φＳＦＴＢ及び水平転送パルスφＨ１，φＨ２の各信号レベルを図８に示すように変化させるようにしており、以下具体的に説明する。なお、メモリレジスタ制御信号φＳＦＴＡ，φＳＦＴＢはそれぞれメモリレジスタ１３ａ,１３ｂ上にそれぞれ形成された電極に印加され、水平転送パルスφＨ１，φＨ２はそれぞれ水平転送レジスタ１４ａ，１４ｂ上にそれぞれ形成された電極に印加される。
【００５７】
メモリレジスタ制御信号φＳＦＴＡ，φＳＦＴＢの信号レベルは、Ｈ（Ｈｉｇｈ）レベル、Ｍ（Ｍｉｄｄｌｅ）レベル、Ｌ（Ｌｏｗ）レベルの３段階であり、各信号レベルに応じてメモリレジスタ１３ａ，１３ｂは、次のように動作する。
Ｈレベル：光電変換部１１からの信号電荷の読み出し
Ｍレベル：光電変換部１１から読み出した信号電荷の保持
Ｌレベル：保持している信号電荷の水平転送部１４への出力
【００５８】
また、水平転送パルスφＨ１，φＨ２の信号レベルは、ＨレベルとＬレベルの２段階であり、水平転送レジスタ１４ａ，１４ｂのポテンシャルは、ＨレベルのときとＬレベルのときとで異なる。従って、水平転送パルスφＨ１，φＨ２の信号レベルをＬレベルとＨレベルに交互に変化させることにより、メモリレジスタ１３ａ，１３ｂから水平転送部１４に出力された信号電荷は、出力部１５へ転送される。なお、第１水平転送パルスφＨ１と第２水平転送パルスφＨ２とは互いに逆相の方形波である。
【００５９】
以下、（１）水平転送部１４への信号電荷の出力、（２）センサ列１２ａ，１２ｂによる信号電荷の蓄積、（３）水平転送部１４から出力部１５への信号電荷の転送、の各動作の制御部６による制御について、図８を参照して説明する。
【００６０】
（１）水平転送部１４への信号電荷の出力
図８に示すタイミングｔａの状態において、メモリレジスタ制御信号φＳＦＴＡがＭレベルとなっており、第１のセンサ列１２ａの各光電変換部１１により生成された１水平ライン分の信号電荷は、第１のメモリレジスタ１３ａに保持されている状態である。
【００６１】
タイミングｔｂになると、制御部６は、メモリレジスタ制御信号φＳＦＴＡをＬレベルとして、第１のメモリレジスタ１３ａから第１水平転送レジスタ１４ａに信号電荷を出力させる。
【００６２】
さらに、タイミングｔｃになると、制御部６は、メモリレジスタ制御信号φＳＦＴＡ，φＳＦＴＢをＨレベルにする。これにより、第１のセンサ列１２ａの各光電変換部１１から信号電荷が第１のメモリレジスタ１３ａに転送され、第２のセンサ列１２ｂの各光電変換部１１から信号電荷が第２のメモリレジスタ１３ｂに転送される。
【００６３】
その後、タイミングｔｄになると、制御部６は、メモリレジスタ制御信号φＳＦＴＡをＭレベルにし、第１のメモリレジスタ１３ａに転送された信号電荷は第１のメモリレジスタ１３ａで保持させる。また、制御部６は、第２メモリレジスタ制御信号φＳＦＴＢをＬレベルにし、第２のメモリレジスタ１３ｂに転送された信号電荷を第１水平転送レジスタ１４ａに出力させる。これにより、第１水平転送レジスタ１４ａで第１のセンサ列１２ａの光電変換部１１から出力させた信号電荷と第２のセンサ列１２ｂの光電変換部１１から出力させた信号電荷とを加算する。
【００６４】
タイミングｔｂ〜ｔｄの期間は、水平転送パルスφＨ１がＨレベル、水平転送パルスφＨ２がＬレベルであり、水平転送部１４の動作は停止している。従って、タイミングｔｂで転送された第１のセンサ列１２ａの信号電荷とタイミングｔｄで転送された第２のセンサ列１２ｂの信号電荷とは、第２水平転送レジスタ１４ｂへは出力されず、同じ第１水平転送レジスタ１４ａに出力される。第１水平転送レジスタ１４ａに出力された各センサ列１２ａ，１２ｂの信号電荷は第１水平転送レジスタ１４ａ内で加算される。
【００６５】
（２）センサ列による信号電荷の蓄積
第１のセンサ列１２ａでの信号電荷の蓄積期間は、メモリレジスタ制御信号φＳＦＴＡがＬレベルからＨレベルになった後再度Ｌレベルになる期間である。すなわち、タイミングｔｃで第１のセンサ列１２ａからの信号電荷の転送が終了後、タイミングｔｅで第１のセンサ列１２ａからの次の１水平ライン分の信号電荷の転送を開始するまでの期間である。
【００６６】
また、第２のセンサ列１２ｂでの信号電荷の蓄積期間も同様に、メモリレジスタ制御信号φＳＦＴＢがＬレベルからＨレベルになった後再度Ｌレベルになる期間である。すなわち、タイミングｔｄで第２のセンサ列１２ｂからの信号電荷の転送が終了後、タイミングｔｆで第１のセンサ列１２ａからの次の１水平ライン分の信号電荷の転送を開始するまでの期間である。
【００６７】
なお、第１及び第２のセンサ列１２ａによる信号電荷の蓄積期間は画像読み取り装置Ｓがリニアセンサ１を1水平ライン分の移動をする期間である。
【００６８】
（３）水平転送部から出力部への信号電荷の転送
第１水平転送レジスタ１４ａに出力された各センサ列１２ａ，１２ｂの信号電荷は、第１水平転送レジスタ１４ａで加算された後、水平駆動周波数に応じた互いに逆相となる方形波である水平転送パルスφＨ１，φＨ２により出力部１５へ転送される。
【００６９】
以上は、副走査方向を第１のセンサ列１２ａ側の方向（Ｘ方向）とした場合の動作であるが、本実施形態におけるリニアセンサ１を備えた画像読み取り装置Ｓでは、副走査方向（Ｘ方向）を第１のセンサ列１２ａ側と第２のセンサ列１２ｂ側の双方としている。
【００７０】
従って、リニアセンサ１で原稿８を読み取った後にこのリニアセンサ１を反対方向に移動させて読み取り開始位置に戻すという処理が必要ではなくなり、そのまま次の原稿８の読み取りを開始することができ、連続読み取りの高速化を図っている。
【００７１】
副走査方向を第２のセンサ列１２ｂ側の方向（−Ｘ方向）とした場合の動作は、図９に示すように、メモリレジスタ制御信号φＳＦＴＡの信号レベルの変化とメモリレジスタ制御信号φＳＦＴＢの信号レベルの変化とを逆にすることによって実現することができる。
【００７２】
すなわち、図１０（ａ）に示すように、第２のセンサ列１２ｂの各光電変換部１１で生成した１水平ライン分の信号電荷のそれぞれを一旦各第２のメモリレジスタ１３ｂに蓄積しておく。そして、図１０（ｂ）に示すように、第２のメモリレジスタ１３ｂに蓄積した信号電荷と、第１のセンサ列１２ａの各光電変換部１１で生成した同一の水平ラインの信号電荷とを水平転送部１４の第１水平転送レジスタ１４ａに出力して加算する。
【００７３】
このようにすることで、副走査方向を第２のセンサ列１２ｂ側（−Ｘ方向）とした場合にも、副走査方向を第１のセンサ列１２ａ側（Ｘ方向）とした場合と同様に、同一水平ラインの画像に応じた各センサ列１２ａ，１２ｂの信号電荷を水平転送部１４で加算可能となる。従って、原稿８の読み取り方向を双方向にも持たせることが可能となる。
【００７４】
画像読み取り装置Ｓには、図示しない自動給紙機構を備えており、この自動給紙機構により複数枚の原稿８を１枚ずつガラス台３上に配置させるにしている。従って、制御部６が自動給紙機構を制御し、リニアセンサ駆動機構２を往復移動させて、原稿８の往復読み取り（往路と復路でそれぞれ１枚ずつ読み取る）を行うことで、連続読み取りの高速化を図ることができる。
【００７５】
しかも、メモリレジスタ制御信号φＳＦＴＡ，φＳＦＴＢを変更するだけでよいため、構成が複雑にならず、制御部６は容易に往復読み取りが可能となる。
【００７６】
［４．画像読み取り装置Ｓに設けられたリニアセンサ１の第２の駆動方法］
画像読み取り装置Ｓにおけるリニアセンサ１の第２の駆動方法について説明する。この第２の駆動方法は、従来のＣＣＤリニアセンサ１００と同様の感度及び速度で連続読み取りを行う駆動方法である。図１１及び図１２はリニアセンサ１内の信号電荷の動きを説明するための図、図１３はリニアセンサ１へ印加される各制御信号の状態を示す図である。
【００７７】
画像読み取り装置Ｓが原稿８の読み取りを開始すると、図５（ｂ）に示すように、リニアセンサ１の２つのセンサ列１２ａ，１２ｂのうち第１のセンサ列１２ａが最初に原稿８の領域Ａ１に移動し、この領域Ａ１の画像を読み取る。このとき、第２のセンサ列１２ｂは原稿８がない領域Ａ０の画像を読み取ることとなる。
【００７８】
各センサ列１２ａ，１２ｂでの読み取りが終了すると、制御部６は、図１１に示すように、第２のセンサ列１２ｂの各光電変換部１１に蓄積された信号電荷をシャッタードレイン１８に掃き出す。また、制御部６は、第１のセンサ列１２ａの各光電変換部１１で変換され蓄積された信号電荷を第１のメモリレジスタ１３ａに転送し、第１のメモリレジスタ１３ａに保持する。このときの制御部６により制御を図１３を用いて説明する。
【００７９】
タイミングｔＡにおいて、制御部６は、第２メモリレジスタ制御信号φＳＦＴＢをＨレベルにして第２のセンサ列１２ｂの各光電変換部１１で変換され蓄積された信号電荷を第２のメモリレジスタ１３ｂから信号電荷を読み出す。第１水平転送パルスφＨ１をＨレベルとしておく。
【００８０】
タイミングｔＢにおいて、制御部６は、第２メモリレジスタ制御信号φＳＦＴＢをＬレベルにして第２のメモリレジスタ１３ｂから水平転送部１４へ信号電荷を転送する。このとき、制御部６は、第１水平転送パルスφＨ１はＨレベルとし、第２水平転送パルスφＨ２はＬレベルとしている。
【００８１】
タイミングｔＣにおいて、制御部６は、シャッターゲート制御信号φＳＨＧをＨレベルとし、さらにタイミングｔＤでこれらをＬレベルにすることにより、水平転送部１４からシャッタードレイン１８へ信号電荷を掃き出す。
【００８２】
タイミングｔＥにおいて、制御部６は、第１メモリレジスタ制御信号φＳＦＴＡをＬレベルにして第１のメモリレジスタ１３ａに蓄積している信号電荷を水平転送部１４の第１水平転送レジスタ１４ａへ転送する。
【００８３】
タイミングｔＦにおいて、制御部６は、第１メモリレジスタ制御信号φＳＦＴＡをＨレベルにして第１のセンサ列１２ａの各光電変換部１１に蓄積された信号電荷を第１のメモリレジスタ１３ａに転送する。
【００８４】
タイミングｔＧにおいて、制御部６は、第１メモリレジスタ制御信号φＳＦＴＡをＭレベルにして第１のメモリレジスタ１３ａに蓄積している信号電荷を保持する。
【００８５】
次に、制御部６は、図１２に示すように、第１のメモリレジスタ１３ａに保持している信号電荷を水平転送部１４に転送し、第１のセンサ列１２ａの各光電変換部１１で変換され蓄積された信号電荷を第１のメモリレジスタ１３ａに転送し、保持させる。このときの制御部６により制御を図１３を用いて説明する。
【００８６】
タイミングｔＥ’において、制御部６は、第１メモリレジスタ制御信号φＳＦＴＡをＬレベルにして、第１のメモリレジスタ１３ａに保持した信号電荷を水平転送部１４に転送する。
【００８７】
タイミングｔＦ’において、制御部６は、第１メモリレジスタ制御信号φＳＦＴＡをＨレベルにして第１のセンサ列１２ａの各光電変換部１１に蓄積された信号電荷を第１のメモリレジスタ１３ａに転送する。
【００８８】
タイミングｔＧ’において、制御部６は、第１メモリレジスタ制御信号φＳＦＴＡをＭレベルにして第１のメモリレジスタ１３ａに蓄積している信号電荷を保持する。また、第１水平転送パルスφＨ１をＬレベルにする。
【００８９】
以降同様に、制御部６は、リニアセンサ１を長さＡだけ副走査方向に移動させ、第２のセンサ列１２ｂの信号電荷をシャッタードレイン１８へ、第１のセンサ列１２ａの信号電荷を第１のメモリレジスタ１３ａへ出力する動作を繰り返して、原稿８全体を読み取る。
【００９０】
以上は、副走査方向（Ｘ方向）を第１のセンサ列１２ａ側とした場合の動作であるが、本実施形態におけるリニアセンサ１を備えた画像読み取り装置Ｓでは、副走査方向を第１のセンサ列１２ａ側（Ｘ方向）と第２のセンサ列１２ｂ側（−Ｘ方向）の双方としている。
【００９１】
すなわち、副走査方向を第２のセンサ列１２ｂ側（−Ｘ方向）とした場合、各センサ列１２ａ，１２ｂでの読み取りが終了すると、制御部６は、第１のセンサ列１２ａの各光電変換部１１に蓄積された信号電荷をシャッタードレイン１８に掃き出す。また、制御部６は、第２のセンサ列１２ｂの各光電変換部１１に蓄積された信号電荷を第２のメモリレジスタ１３ｂに転送し、保持する。次に、制御部６は、第２のメモリレジスタ１３ｂに保持している信号電荷を水平転送部１４に転送する。
【００９２】
従って、リニアセンサ１で原稿８を読み取った後にこのリニアセンサ１を反対方向に移動させて読み取り開始位置に戻すという制御が必要ではなくなり、そのまま次の原稿８の読み取りを開始することができ、連続読み取りの高速化を図っている。
【００９３】
副走査方向を第２のセンサ列１２ｂ側（−Ｘ方向）とした場合の動作は、図９に示すように、メモリレジスタ制御信号φＳＦＴＡの信号レベルの変化とメモリレジスタ制御信号φＳＦＴＢの信号レベルの変化とを逆にすることによって実現することができる。
【００９４】
すなわち、図１０（ａ）に示すように、第２のセンサ列１２ｂの各光電変換部１１で生成した１水平ライン分の信号電荷のそれぞれを一旦各第２のメモリレジスタ１３ｂに蓄積しておく。そして、図１０（ｂ）に示すように、第２のメモリレジスタ１３ｂに蓄積した信号電荷と、第１のセンサ列１２ａの各光電変換部１１で生成した同一の水平ラインの信号電荷とを水平転送部１４の第１水平転送レジスタ１４ａに出力して加算する。
【００９５】
このようにすることで、副走査方向を第２のセンサ列１２ｂ側（−Ｘ方向）とした場合にも、副走査方向を第１のセンサ列１２ａ側（Ｘ方向）とした場合と同様に、同一水平ラインの画像に応じた各センサ列１２ａ，１２ｂの信号電荷を水平転送部１４で加算可能となる。従って、原稿８の読み取り方向を双方向にも持たせることが可能となる。
【００９６】
画像読み取り装置Ｓには、図示しない自動給紙機構を備えており、この自動給紙機構により複数枚の原稿８を１枚ずつガラス台３上に配置させるにしている。従って、制御部６が自動給紙機構を制御し、リニアセンサ駆動機構２を往復移動させて、原稿８の往復読み取り（往路と復路でそれぞれ１枚ずつ読み取る）を行うことで、連続読み取りの高速化を図ることができる。
【００９７】
しかも、メモリレジスタ制御信号φＳＦＴＡ，φＳＦＴＢを変更するだけでよいため、構成が複雑にならず、制御部６は容易に往復読み取りが可能となる。
【００９８】
以上のように、画像読み取り装置Ｓは、リニアセンサ１と、リニアセンサ１を第１方向（Ｘ方向）及びその反対方向である第２方向（−Ｘ方向）のいずれにも移動可能としたリニアセンサ駆動機構２と、リニアセンサ１に制御信号を出力する制御部を備える。
【００９９】
リニアセンサ１は、１次元方向に配列された複数の光電変換部１１をそれぞれ有して互いに隣り合う第１及び第２のセンサ列と、第１及び第２のメモリレジスタ１３ａ，１３ｂと、水平転送部１４と、出力部１５とを備えている。
【０１００】
そして、リニアセンサ１の制御部６は、読み取り方向が第１方向である第１モードと、読み取り方向が第２方向である第２モードとを交互に切り替えながら、複数枚の原稿を連続読み取り可能としている。
【０１０１】
第１モードでは、制御部６は、第１のセンサ列１２ａの光電変換部のそれぞれに蓄積された信号電荷を複数の第１のメモリレジスタ１３ａに読み出して蓄積する。その後、制御部６は、第２のセンサ列１２ｂの光電変換部１１のそれぞれに蓄積された信号電荷と複数の第１のメモリレジスタ１３ａに蓄積した信号電荷とを水平転送部１４に出力させて加算し、前記水平転送部により転送させる。
【０１０２】
また、第２モードでは、制御部６は第２のセンサ列１２ｂの光電変換部１１のそれぞれに蓄積された信号電荷を複数の第２のメモリレジスタ１３ｂに読み出して蓄積する。その後、制御部６は、第１のセンサ列１２ａの光電変換部１１のそれぞれに蓄積された信号電荷と複数の第２のメモリレジスタ１３ｂに蓄積した信号電荷とを水平転送部１４に出力させて加算し、水平転送部１４により転送させる。
【０１０３】
このように、本実施形態における画像読み取り装置では、２つのセンサ列１２ａ，１２ｂを設けて、読み取り速度の高速化を図りつつ水平転送部１４の増加を抑制し、さらに読み取り方向を双方向で行って、連続読み取りを可能として高速化を図っている。
【０１０４】
また、リニアセンサ１は、水平転送部１４に出力された信号電荷を排出するシャッタードレイン１８と、水平転送部１４に蓄積された信号電荷をシャッタードレイン１８に転送するシャッターゲート１７とを備える。
【０１０５】
そして、リニアセンサ１の制御部６は、読み取り取り方向が第１方向である第３モードと、読み取り方向が第２方向である第４モードとを交互に切り替えながら、複数枚の原稿８を連続読み取り可能としている。この第３，４モードは、リニアセンサの一方のセンサ列１２ａ（１２ｂ）に蓄積された信号電荷を水平転送部１４により外部に転送させるモードであり、従来のＣＣＤリニアセンサ１００と同様の感度及び速度で連続読み取りを行うためのモードである。
【０１０６】
第３モードでは第２のセンサ列１２ｂの光電変換部１１のそれぞれに蓄積された信号電荷を水平転送部１４及びシャッターゲート１７を介してシャッタードレイン１８へ転送して排出させる。一方、第１のセンサ列１２ａの光電変換部１１のそれぞれに蓄積された信号電荷を複数の第１のメモリレジスタ１３ａに読み出して蓄積し、その後、複数の第１のメモリレジスタ１３ａに蓄積した信号電荷を水平転送部１４に出力させる。
【０１０７】
第４モードでは第１のセンサ列１２ａの光電変換部１１のそれぞれに蓄積された信号電荷を水平転送部１４及びシャッターゲート１７を介してシャッタードレイン１８へ転送して排出させる。一方、第２のセンサ列１２ｂの光電変換部１１のそれぞれに蓄積された信号電荷を複数の第２のメモリレジスタ１３ｂに読み出して蓄積し、その後、複数の第２のメモリレジスタ１３ｂに蓄積した信号電荷を水平転送部１４に出力させる。
【０１０８】
このようにリニアセンサ１は、制御部６の制御によって、従来のＣＣＤリニアセンサ１００と同様の感度及び速度で連続読み取りを行うことができるようにしている。従って、従来のＣＣＤリニアセンサ１００と同様の感度及び速度で連続読み取りを行う画像読み取り装置にも内蔵することが可能となる。
【図面の簡単な説明】
【０１０９】
【図１】本発明の一実施形態における画像読み取り装置の概略構成例を示す図である。
【図２】図１に示すリニアセンサの読み取り方向を説明するための図である。
【図３】図１に示すリニアセンサ１の構成を示す図である。
【図４】図３に示すリニアセンサ１のセンサ部の構成を示す図である。
【図５】図１に示すリニアセンサと原稿との関係を示す図である。
【図６】第１の駆動方法においてリニアセンサ内の信号電荷の動きを説明するための図である。
【図７】第１の駆動方法においてリニアセンサ内の信号電荷の動きを説明するための図である。
【図８】第１の駆動方法において制御部によってリニアセンサへ印加される各制御信号のタイミングチャートである。
【図９】第１の駆動方法において制御部によってリニアセンサへ印加される各制御信号のタイミングチャートである。
【図１０】第１の駆動方法においてリニアセンサ内の信号電荷の動きを説明するための図である。
【図１１】第２の駆動方法においてリニアセンサ内の信号電荷の動きを説明するための図である。
【図１２】第２の駆動方法においてリニアセンサ内の信号電荷の動きを説明するための図である。
【図１３】第２の駆動方法において制御部によってリニアセンサへ印加される各制御信号のタイミングチャートである。
【図１４】従来のＣＣＤリニアセンサの構造を示す図である。
【図１５】従来のＣＣＤリニアセンサの構造を示す図である。
【図１６】従来のＣＣＤリニアセンサの構造を示す図である。
【図１７】従来のＣＣＤリニアセンサの構造を示す図である。
【符号の説明】
【０１１０】
Ｓ  画像読み取り装置
１  ＣＣＤリニアセンサ
２  リニアセンサ駆動機構
３  ガラス台
４  画像処理部
５  Ｉ／Ｆ回路
６  制御部
１０ａ，１０ｂ，１０ｃ  センサ部
１１  光電変換部
１２ａ  第１のセンサ列
１２ｂ  第２のセンサ列
１３ａ  第１のメモリレジスタ
１３ｂ  第２のメモリレジスタ
１４  水平転送部
１５  出力部
１６  チャネルストップ領域
１７  シャッターゲート
１８  シャッタードレイン
２０  出力ゲート部
２１  ＦＤ領域
２２  リセットゲート部
２３  リセットドレイン
２４  出力回路
【図２】
2010130234.tif 000003
【図３】
2010130234.tif 000004
【図４】
2010130234.tif 000005
【図５】
2010130234.tif 000006
【図６】
2010130234.tif 000007
【図７】
2010130234.tif 000008
【図８】
2010130234.tif 000009
【図９】
2010130234.tif 000010
【図１０】
2010130234.tif 000011
【図１１】
2010130234.tif 000012
【図１２】
2010130234.tif 000013
【図１３】
2010130234.tif 000014
【図１７】
2010130234.tif 000015
【図１】
2010130234.tif 000016
【図１４】
2010130234.tif 000017
【図１５】
2010130234.tif 000018
【図１６】
2010130234.tif 000019